(57)【要約】【課題】原料たるコーヒー粉の量の計量と、当該コーヒー粉の量に応じた湯の注入量を同時に計量することができる飲料抽出用フィルターを提供する。【解決手段】開閉自在な開口４を上部に有する袋状の飲料抽出用フィルター１は、開口４を広げたときに略円錐筒状となるペーパーフィルターで構成する。フィルター１の内側面に、抽出原料の計量目盛り５と、各原料計量目盛りに対応して注入すべき湯の計量目盛り６とを可食性のインクで個別に印刷表示する。抽出すべき飲料の所定量毎に対応して上下方向に伸びるように複数の区別線７ｃを印刷し、各区別線毎に飲料の所定量に対応した原料計量目盛り５および湯計量目盛り６を印刷する構成とする。湯計量目盛６は、必要量に応じた湯の注入回数で表示する。【選択図】  図１
0003117503.tif 000002
【実用新案登録請求の範囲】
【請求項１】
開閉自在な開口を上部に有する袋状の飲料抽出用フィルターであって、
内側面に、抽出原料の計量目盛りと、各原料計量目盛りに対応して注入すべき湯の計量目盛りとが、可食性のインクで個別に表示されていることを特徴とする飲料抽出用フィルター。
【請求項２】
前記原料計量目盛りおよび湯計量目盛りが、抽出すべき飲料の所定量毎に対応して上下方向に伸びるように表示された複数の区別線と、各区別線毎に前記飲料の所定量に対応して表示された原料および湯の必要量を表す標線とを具備することを特徴とする請求項１に記載の飲料抽出用フィルター。
【請求項３】
前記湯計量目盛りが、必要量に応じた注入回数で表示されていることを特徴とする請求項１に記載の飲料抽出用フィルター。
【請求項４】
前記開口を広げたときに略円錐筒状となるペーパーフィルターであることを特徴とする請求項１または２に記載の飲料抽出用フィルター。
【考案の詳細な説明】
【技術分野】
【０００１】
この考案は、コーヒー紅茶等の飲料を必要量抽出するのに投入すべき原料たるコーヒー粉、紅茶粉の量と、注入すべき湯の量を計量するための目盛りを印刷された飲料抽出用フィルターに関する。
【背景技術】
【０００２】
目盛りなどの使用情報を食品衛生上有害でなく、かつ鮮明なインクで表示した飲料抽出用フィルターが特許文献１に開示されている。この目盛りを印字した飲料抽出用フィルターを用いると、計量スプーンを必要とせず、計量スプーンをたよりに所定量のコーヒー粉を測り取る作業が不要になる。
【特許文献１】特開２００４−１４９６１９号公報
【考案の開示】
【考案が解決しようとする課題】
【０００３】
上記従来の飲料抽出用フィルターにあっては、原料たるコーヒー粉の量を表示する目盛りだけが印刷されるので、別途注入すべき湯の量が計量されるコーヒーメーカー等でこれを使用する場合にはよいが、そうでない場合には、当該コーヒー粉の量に応じた湯の注入量を正確に計量することができない。
したがって、この考案は、原料たるコーヒー粉の量を計量する原料計量目盛りと、当該コーヒー粉の量に応じた湯の注入量を計量することができる湯計量目盛りの双方を備えた飲料抽出用フィルターを提供することを課題とする。
【課題を解決するための手段】
【０００４】
上記課題を解決するため、この考案においては、開閉自在な開口４を上部に有する袋状の飲料抽出用フィルター１において、内側面に、抽出原料の計量目盛り５と、各原料計量目盛りに対応して注入すべき湯の計量目盛り６とを可食性のインクで個別に印刷等により表示する構成とした。
また、上記フィルター１において、抽出すべき飲料の所定量毎に対応して上下方向に伸びるように複数の区別線７ａ，７ｂ，７ｃを印刷し、各区別線毎に飲料の所定量に対応した原料計量目盛り５および湯計量目盛り６を表示する構成とした。
また、上記フィルター１において、湯計量目盛り６を、必要量に応じた注入回数で表示する構成とした。
さらに、上記フィルターを、開口４を広げたときに略円錐筒状となるペーパーフィルターで構成した。
【考案の効果】
【０００５】
この考案においては、計量カップ等が手元になくても、原料たるコーヒー粉の量およびその原料の量に対応して注入すべき湯の量を容易に計量することができ、それによって適量のおいしい飲料を抽出できるという効果を有する。
抽出すべき飲料の所定量毎に対応する複数の区別線７ａ，７ｂ，７ｃを表示し、これらの区別線毎に原料計量目盛り５と、湯計量目盛り６を表示すれば、抽出すべき飲料の所定量毎の必要原料の量と必要湯量を容易に区別して計量することができるという効果を有する。
湯計量目盛り６を、必要量に応じた注入回数で表示する構成とした場合には、一度の注入では必要湯量に達しない容量のフィルターにおいて、数回に分けて湯を注入するときの湯の計量を容易に行うことができるという効果を有する。
【考案を実施するための最良の形態】
【０００６】
図面を参照してこの考案の実施の形態を説明する。図１は本考案の飲料抽出用フィルターの使用状態の斜視図、図２は本考案の飲料抽出用フィルターの展開図、図３、図４はそれぞれ本考案の飲料抽出用フィルターの他の実施形態を示す展開図である。
【０００７】
図において、フィルター１は紙製で、図２ないし図３に示す半円形の濾紙を半分に折って、弦の縁部３を接着することによって形成される。フィルター１は上部の開口４を開いた状態で略円錐筒状をなす。このフィルター１を使用するドリッパー１１は、略円錐筒形の漏斗状で、底部にフィルター１の下端部を突出させる抽出開口１２を有する。
【０００８】
フィルター１の内側面には、抽出原料であるコーヒー粉の計量目盛り５と、各原料計量目盛りに対応して注入すべき湯の計量目盛り６とが、可食性のインクで個別に印刷表示されている。
【０００９】
図１、図２に示す実施形態において、原料計量目盛り５および湯計量目盛り６は、抽出すべき飲料の所定量毎、すなわち１カップ、２カップ、３カップの各量に対応して上下方向に伸びるように印刷された３つの区別線７ａ，７ｂ，７ｃを有する。各区別線７ａ，７ｂ，７ｃ毎に、飲料の所定量に対応した原料および湯の必要量を表す標線８，９が印刷される。
【００１０】
注入すべき湯の量は、フィルター１内への１回の注入量では不足するため、湯計量目盛り９は、必要量に応じた注入回数で表示されている。
【００１１】
図３に示す実施形態においては、区別線７ａ，７ｂ，７ｃが円弧線上に印刷される。標線８，９はおよその目安を示せば足りるから、直線状でなくてもよい。
【００１２】
図４に示す実施形態においては、区別線がなく、標線８，９のみが、展開状態において同心円弧状に印刷される。
【００１３】
例えば３カップ分のコーヒーを抽出する場合には、図１において、標線８の位置までコーヒー粉を投入し、これに標線９の位置まで、６回に分けて湯を注入することにより、適度の濃度の、適量のコーヒーを抽出することができる。
【００１４】
なお、本考案のフィルターは、紙製のものに限定されるものではなく、ネル、不織布等、他の素材で構成することもでき、この場合に、目盛りの表示を、印刷に代えて刺繍等の別の方法によるものとすることができる。また、フィルターの形状は、円錐筒状のものに限定されるものではなく、その他の公知のもの、例えば折り畳み状態で切頭円錐形状のもの等に適用することもできる。
【産業上の利用可能性】
【００１５】
この考案は、例えば漏斗状のコーヒーサーバーに適用するコーヒーフィルターとして利用される。
【図面の簡単な説明】
【００１６】
【図１】本考案の飲料抽出用フィルターの使用状態の斜視図である。
【図２】本考案の飲料抽出用フィルターの展開図である。
【図３】本考案の飲料抽出用フィルターの他の実施形態を示す展開図である。
【図４】本考案の飲料抽出用フィルターのさらに他の実施形態を示す展開図である。
【符号の説明】
【００１７】
１      フィルター
２      濾紙
３      縁部（接着部）
４      開口
５      原料計量目盛り
６      湯計量目盛り
７ａ    区別線
７ｂ    区別線
７ｃ    区別線
８      標線
９      標線
１１    ドリッパー
１２    抽出開口
【図１】
0003117503.tif 000003
【図２】
0003117503.tif 000004
【図３】
0003117503.tif 000005
【図４】
0003117503.tif 000006